(57)【特許請求の範囲】
【請求項１】
管形発光体と、
この管形発光体の両端部に装着される絶縁性の口金本体、前記管形発光体に電気的に接続されるとともに口金本体から管軸に対してほぼ直角方向に突設される接触子、この接触子の両側において接触子とほぼ同一方向でかつ接触子より長いとともに幅広で口金本体から延設される一対の係合腕を有し、これら一対の係合腕の内側間に接触子が位置する一対の口金と
を具備していることを特徴とする発光装置。
【請求項２】
管形発光体は、この管形発光体の端部から導出される導電体を有し、
口金本体は、一端が前記管形発光体の端部外側に装着される筒状の胴部と、この胴部内の中間部に配設されて一端側から他端側に前記導電体が通過される隔壁部とを有し、
接触子は、前記胴部の他端側において導電体と接続されるとともに胴部から突設される
ことを特徴とする請求項１記載の発光装置。
【請求項３】
管形発光体は、この管形発光体の端部から導出される導電体を有し、
口金本体は、一端が前記管形発光体の端部外側に装着される筒状の胴部と、この胴部内の中間部に一体成形されて一端側から他端側に前記導電体が通過される隔壁部と、胴部の他端面に装着される別体の閉塞子とを有している
ことを特徴とする請求項１記載の発光装置。
【請求項４】
管形発光体は、この管形発光体の端部から導出される導電体を有し、
口金本体は、一端が前記管形発光体の端部外側に装着される筒状の胴部と、この胴部内の中間部に配設されるとともに一端側から他端側に通過される前記導電体を位置決めする位置決め部が設けられた隔壁部とを有している
ことを特徴とする請求項１記載の発光装置。
【請求項５】
管形発光体は、この管形発光体の端部から導出される導電体を有し、
口金本体は、一端が前記管形発光体の端部外側に装着される筒状の胴部と、この胴部内の中間部に配設されるとともに通過孔およびこの通過孔を経由して一端側から他端側に通過される前記導電体を位置決めする位置決め部が設けられた隔壁部とを有している
ことを特徴とする請求項１記載の発光装置。
【請求項６】
口金本体は、側面の一部に口金側平坦部が設けられた筒状の胴部を有し、
接触子は、前記胴部の口金側平坦部から突設されている
ことを特徴とする請求項１記載の発光装置。
【請求項７】
管形発光体は、剛性を備えた透光性の管体と、複数の発光体が連結されて構成され、前記管体内に架設される連鎖発光体とを有している
ことを特徴とする請求項１記載の発光装置。
【請求項８】
請求項１ないし７いずれか記載の発光装置と組み合わされるソケット装置において、
先端面に発光装置の接触子が挿入される挿入孔が設けられるとともに、両側面に傾斜面およびこの傾斜面に連なって発光装置の係合腕が係合される係合凹部が設けられ、かつ、内部に空洞部が設けられた絶縁性のソケット本体と、
このソケット本体の空洞部に収納されて前記接触子が電気的に接続される受刃と、
前記ソケット本体の空洞部を閉塞する蓋体と
を具備していることを特徴とするソケット装置。
【請求項９】
ソケット本体は、先端面の挿入孔の周囲に設けられるソケット側平坦部と、このソケット側平坦部に挿入孔を囲んで設けられる周溝と、この周溝に収納されるパッキングとを有している
ことを特徴とする請求項８記載のソケット装置。
【請求項１０】
基台と、
管形発光体、この管形発光体の両端部に装着される絶縁性の口金本体、管形発光体に電気的に接続されるとともに口金本体から管軸に対してほぼ直角方向に突設される接触子、この接触子の両側において接触子とほぼ同一方向でかつ接触子より長いとともに幅広で口金本体から延設される一対の係合腕を有し、これら一対の係合腕の内側間に接触子が位置する一対の口金を備えている発光装置と、
先端面に発光装置の接触子が挿入される挿入孔が設けられるとともに、両側面に傾斜面およびこの傾斜面に連なって発光装置の係合腕が係合される係合凹部が設けられ、かつ、内部に空洞部が設けられた絶縁性のソケット本体と、このソケット本体の空洞部に収納されて前記接触子が電気的に接続される受刃と、ソケット本体の空洞部を閉塞する蓋体を備え、前記基台の離間対向した位置に配設された一対のソケット装置と
を具備していることを特徴とする照明装置。
【発明の詳細な説明】
（発明の属する技術分野）
本発明は、管形発光体を有する発光装置、この発光装置を接続するソケット装置、これら発光装置およびソケット装置を有する照明装置に関する。
（従来の技術）
従来、発光装置としては、例えば、特開昭61−195557号公報に記載されているように、連鎖した複数の発光体を直列接続して柔軟性を備えた管体内に挿入するとともに、この管体の両端に電気接続用の口金を配設し、そして、管体をアルファベットなどの形象の形に屈曲させることにより、いわゆるイルミネーションの目的に使用するものが知られている。この発光装置では、発光体が比較的小電力のため、発光体の点灯時の温度が比較的低いので、発光体が管内内壁に接触しても問題ないが、発光量が少ないので照明目的には適さない。
また、例えば、実開昭61−117457号公報に記載されているように、連鎖した複数の発光体を直列接続してガラス製の管体内に挿入するとともに、この管体の両端に電気接続用の口金を配設し、読取用光源として使用するものが知られている。この発光装置では、発光体がガラス管内面に接続しないようにするため、発光体の間に、外郭部および小型のコイル部が連結部を介して一体に連接された保持部材を発光体のリード線に溶接しているので、発光体として電力消費の比較的大きなものを使用することができるが、連鎖発光体の両端に位置する発光体のリード線をガラス管両端の端子に接続する作業が複雑で作業性が悪いという問題がある。
また、このような管体の両端に配設される口金としては、例えば、実公昭37−13536号公報または実開平３−126347号公報に記載されている構造が知られている。この口金は、管体の両端部に装着される絶縁性の口金本体を有し、この口金本体から管軸に対して直角方向に電気接続用の接触子を突設している。一方、この口金を接続するソケット装置は、絶縁性のソケット本体を有し、このソケット本体に接触子が接続される接続金具および接続された口金を保持するホルダなどが配設されている。
このような発光装置とソケット装置の形態であると、複数の光源を管軸方向に沿って配置するなどして線状照明のデザイン効果を得ようとするとき、発光装置の管軸方向にはソケット装置が配置されないため、ソケット装置によって暗部が生じるのを防止でき、発光部分の連続性が得られ、線状照明のデザイン効果が十分に得られるなどの利点がある。
（発明が解決しようとする課題）
しかし、発光装置をソケット装置に接続していない状態では、口金の側面から接触子が露出状態で突出しているため、輸送時やソケット装置への接続にあたって接触子に外力が加わりやすく、この外力によって接触子が変形すれば、ソケット装置へ接続できなくなったり、接続できたとしても電気的接続不良が生じるなどのおそれがある。また、輸送時などに接触子の変形を防止するためには、接触子を保護するための緩衝構造などが格別に必要となる問題がある。
本発明は、このような点に鑑みなされたもので、接触子を確実に保護できるとともにソケット側との電気接続状態で確実に保持できる発光装置、この発光装置を接続できるソケット装置、これら発光装置およびソケット装置を有する照明装置を提供することを目的とする。
（課題を解決するための手段）
請求項１記載の発光装置は、管形発光体と、この管形発光体の両端部に装着される絶縁性の口金本体、前記管形発光体に電気的に接続されるとともに口金本体から管軸に対してほぼ直角方向に突設される接触子、この接触子の両側において接触子とほぼ同一方向でかつ接触子より長いとともに幅広で口金本体から延設される一対の係合腕を有し、これら一対の係合腕の内側間に接触子が位置する一対の口金とを具備しているものである。
口金の一対の係合腕により、ソケット装置に装着していない状態で接触子を保護するガードの役割を兼ね、輸送時やソケット装置への接続にあたって接触子を確実に保護できる。また、接触子をソケット装置に対して単に差し込むまたは圧接するだけで電気接続を得る構造であったとしても、一対の係合腕がソケット装置または照明装置などの被取付側に係合することにより、発光装置を電気接続状態に確実に保持できる。
請求項２記載の発光装置は、請求項１記載の発光装置において、管形発光体は、この管形発光体の端部から導出される導電体を有し、口金本体は、一端が前記管形発光体の端部外側に装着される筒状の胴部と、この胴部内の中間部に配設されて一端側から他端側に前記導電体が通過される隔壁部とを有し、接触子は、前記胴部の他端側において導電体と接続されるとともに胴部から突設されるものである。
管形発光体の端部外側に口金本体の胴部の一端を装着するとともに、管形発光体の導電体を口金本体の胴部内の隔壁部を一端側から他端側に通過させることにより、口金本体の胴部の他端側において導電体を接触子に容易に接続でき、組立性を向上できる。
請求項３記載の発光装置は、請求項１記載の発光装置において、管形発光体は、この管形発光体の端部から導出される導電体を有し、口金本体は、一端が前記管形発光体の端部外側に装着される筒状の胴部と、この胴部内の中間部に一体成形されて一端側から他端側に前記導電体が通過される隔壁部と、胴部の他端面に装着される別体の閉塞子とを有しているものである。
管形発光体の端部外側に口金本体の胴部の一端を装着するとともに、管形発光体の導電体を口金本体の胴部内の隔壁部を一端側から他端側に通過させることにより、口金本体の胴部の他端側において導電体を接触子に容易に接続でき、組立性を向上できる。さらに、胴部に隔壁部を一体成形によって容易に形成でき、導電体の接続作業後に胴部の他端面を閉塞子で閉塞できるとともに外観を向上できる。
請求項４記載の発光装置は、請求項１記載の発光装置において、管形発光体は、この管形発光体の端部から導出される導電体を有し、口金本体は、一端が前記管形発光体の端部外側に装着される筒状の胴部と、この胴部内の中間部に配設されるとともに一端側から他端側に通過される前記導電体を位置決めする位置決め部が設けられた隔壁部とを有しているものである。
管形発光体の端部外側に口金本体の胴部の一端を装着するとともに、管形発光体の導電体を口金本体の胴部内の隔壁部を一端側から他端側に通過させることにより、口金本体の胴部の他端側において導電体を接触子に容易に接続でき、組立性を向上できる。さらに、隔壁部に設けられた位置決め部により、隔壁部を一端側から他端側に通過される導電体を位置決めでき、接続作業を容易にできる。
請求項５記載の発光装置は、請求項１記載の発光装置において、管形発光体は、この管形発光体の端部から導出される導電体を有し、口金本体は、一端が前記管形発光体の端部外側に装着される筒状の胴部と、この胴部内の中間部に配設されるとともに通過孔およびこの通過孔を経由して一端側から他端側に通過される前記導電体を位置決めする位置決め部が設けられた隔壁部とを有しているものである。
管形発光体の端部外側に口金本体の胴部の一端を装着するとともに、管形発光体の導電体を口金本体の胴部内の隔壁部を一端側から他端側に通過させることにより、口金本体の胴部の他端側において導電体を接触子に容易に接続でき、組立性を向上できる。さらに、隔壁部に設けられた通過孔により、導電体を隔壁部の一端側から他端側に容易に通過させることができ、かつ、隔壁部に設けられた位置決め部により、通過孔を通じて隔壁部の一端側から他端側に通過される導電体を位置決めでき、接続作業を容易にできる。
請求項６記載の発光装置は、請求項１記載の発光装置において、口金本体は、側面の一部に口金側平坦部が設けられた筒状の胴部を有し、接触子は、前記胴部の口金側平坦部から突設されているものである。
ソケット装置への装着時に口金側平坦部をソケット装置側に接合させて位置決めでき、さらに、例えば口金側平坦部とソケット装置との間にパッキングを介在させて防水構造とすることが容易にできる。
請求項７記載の発光装置は、請求項１記載の発光装置において、管形発光体は、剛性を備えた透光性の管体と、複数の発光体が連結されて構成され、前記管体内に架設される連鎖発光体とを有しているものである。
例えば小形の白熱ランプなどを用いて、管形発光体を構成できる。
請求項８記載のソケット装置は、請求項１ないし７いずれか記載の発光装置と組み合わされるソケット装置において、先端面に発光装置の接触子が挿入される挿入孔が設けられるとともに、両側面に傾斜面およびこの傾斜面に連なって発光装置の係合腕が係合される係合凹部が設けられ、かつ、内部に空洞部が設けられた絶縁性のソケット本体と、このソケット本体の空洞部に収納されて前記接触子が電気的に接続される受刃と、前記ソケット本体の空洞部を閉塞する蓋体とを具備しているものである。
前記発光装置の口金をソケット装置に差し込み接続することにより、接触子をソケット本体の先端面の挿入孔を通じて受刃に電気的に接続できる。この口金をソケット装置に差し込み接続する際、口金の一対の係合腕をソケット本体の両側に合わせて差し込み操作することにより、一対の係合腕をソケット本体の傾斜面を通じて係合凹部に導いて容易に係合できる。したがって、前記発光装置をソケット装置に容易に接続できるとともに電気接続状態に確実に保持できる。
請求項９記載のソケット装置は、請求項８記載のソケット装置において、ソケット本体は、先端面の挿入孔の周囲に設けられるソケット側平坦部と、このソケット側平坦部に挿入孔を囲んで設けられる周溝と、この周溝に収納されるパッキングとを有しているものである。
口金とソケット本体との間にパッキングを介在させて防水構造にできる。
請求項10記載の照明装置は、基台と、管形発光体、この管形発光体の両端部に装着される絶縁性の口金本体、管形発光体に電気的に接続されるとともに口金本体から管軸に対してほぼ直角方向に突設される接触子、この接触子の両側において接触子とほぼ同一方向でかつ接触子より長いとともに幅広で口金本体から延設される一対の係合腕を有し、これら一対の係合腕の内側間に接触子が位置する一対の口金を備えている発光装置と、先端面に発光装置の接触子が挿入される挿入孔が設けられるとともに、両側面に傾斜面およびこの傾斜面に連なって発光装置の係合腕が係合される係合凹部が設けられ、かつ、内部に空洞部が設けられた絶縁性のソケット本体と、このソケット本体の空洞部に収納されて前記接触子が電気的に接続される受刃と、ソケット本体の空洞部を閉塞する蓋体を備え、前記基台の離間対向した位置に配設された一対のソケット装置とを具備しているものである。
発光装置の口金の一対の係合腕により、ソケット装置に装着していない状態で接触子を保護するガードの役割を兼ね、輸送時やソケット装置への接続にあたって接触子を確実に保護でき、かつ、一対の係合腕がソケット装置の係合凹部に係合することにより、発光装置を電気接続状態に確実に保持できる。また、発光装置の口金をソケット装置に差し込み接続することにより、接触子をソケット本体の先端面の挿入孔を通じて受刃に電気的に接続できる。この口金をソケット装置に差し込み接続する際、口金の一対の係合腕をソケット本体の両側に合わせて差し込み操作することにより、一対の係合腕をソケット本体の傾斜面を通じて係合凹部に導いて容易に係合できる。したがって、前記発光装置をソケット装置に容易に接続できるとともに電気接続状態に確実に保持できる。
（発明の実施の形態）
以下、本発明の第１の実施の形態を第１図ないし第４図を参照して説明する。
各図において、照明装置は、発光装置１、一対のソケット装置２および基台３から構成されている。
第３図において、発光装置１は、管形発光体11を有し、この管形発光体11は管体12および連鎖発光体13から構成され、管体12の両端に一対の口金14が装着されている。
管形発光体11の管体12は、透明ガラス製の断面円形の直管で、両端が開口形成されている。
連鎖発光体13は、複数例えば５個の発光体15が導電線16によって連結されている。発光体15は、白熱電球から構成され、透明ガラス製のバルブ17を有し、このバルブ17内にフィラメント18が封装されるとともに、バルブ17の両端に形成された封止部から導通部材19が導出され、バルブ17内にはキセノンガスが封入されている。また、導電線16の中間部分にはリング状の位置規制子20が一体に巻回形成されており、この位置規制子20は張力付与体としても機能する。
口金14は、管体12の両端部に装着されている。
第１図および第２図において、管形発光体11の端部からは、端部の発光体15の導通部材19に連結された導電線などの導電体21が口金14内に導出されている。
また、口金14は、口金本体22、閉塞子23、接触子24から構成されている。
口金本体22は、絶縁性の合成樹脂例えばポリカーボネート樹脂製で、胴部25、隔壁部26、一対の係合腕27を有している。胴部25は、両端が開口する筒状に形成されており、その一端が管体12の端部外側に装着され、他端には閉塞子23が装着される開口28が形成されている。胴部25の側面の一部すなわち一対の係合腕27間には口金側平坦部29が形成されている。さらに、隔離壁26は、胴部25内の中間位置に一体成形されており、ほぼ半円形の通過孔30が形成されているとともに、この通過孔30の弦の部分の中央に浅くスリット状の位置決め部31が形成されている。
閉塞子23は、絶縁性の合成樹脂例えばポリカーボネート樹脂製で円盤状に形成され、口金本体22の開口28に胴部25の弾力により係合されてその開口28を閉塞する。
接触子24は、導電性を有する中空状のピンにて構成され、胴部25の他端側すなわち隔壁部26と開口28との間において、胴部25の口金側平坦部29の中心部を貫通して口金本体22の管軸に対してほぼ直角方向に突設されている。
そして、連鎖発光体13の端部から導出されている導電体21が、口金14の隔壁部26の通過孔30を経由して口金14内に導入されるとともに、隔壁部26の位置決め部31に落とし込むことによって位置出しが行なわれ、かつ、Ｌ字状に折曲した状態で接触子24の基端部に挿入され、圧接またははんだ付けによって接触子24に電気的および機械的に接続される。
一対の係合腕27は、胴部25から突出する接触子24の両側に対向する位置において、胴部25の両側からそれぞれ下方に垂下して一体に形成されている。各係合腕27の先端には、内向きに係合凸部32が形成されている。
そうして、発光装置１を組み立てるには、予め連鎖発光体13を製作しておく。連鎖発光体13の両端から導出されている導電体21は、予めＬ字状に折曲しておく。そして、管体12内に連鎖発光体13を挿通し、次に両端に口金14の胴部25の一端を装着する。装着に際しては胴部25の内面に適量の接着剤を施与しておく。その後、口金14の他端面の開口28からピンセットまたはペンチなどの工具を挿入して隔壁部26の通過孔30を経由して連鎖発光体13の導電体21を胴部25の接触子24側に挟み出すとともに、隔壁部26の位置決め部31に導電体21を落とし込みながら、導電体21の先端を接触子24の基端部に挿入する。そして、接触子24と導電体21とを例えば圧着により電気的および機械的に接続する。その後、開口28を閉塞子23で閉塞すれば、発光装置１が完成する。
一方、ソケット装置２は、ソケット本体41、パッキング42、受刃43、蓋体44などから構成されている。
ソケット本体41は、絶縁性の合成樹脂例えばポリプチレンテレフタレート樹脂製で、上面（先端面）にソケット側平坦部45が形成され、このソケット側平坦部45の中央に接触子24が挿入される挿入孔46が形成されているとともにこの挿入孔46の周囲にパッキング42が収納される環状の周溝47が形成されている。ソケット本体41の両側には傾斜面48およびこの傾斜面48の下側に連なって係合腕27の係合凸部32が係合される係合凹部49が形成されている。ソケット本体41の内部には挿入孔46が連通する空洞部50が形成され、ソケット本体41の底面に空洞部50に連通する開口51が形成され、この開口51が蓋体44で閉塞される。この空洞部50内には接触子24の挿入域の側部に取付台部52が形成されている。さらに、ソケット本体41の端部には、端面部53が垂下に形成されている。
パッキング42は、例えばＯリングが用いられ、周溝47に収納された無加圧状態において、一部がソケット側平坦部45の上面より上方に突出される。
受刃43は、導電性を有する例えば板ばね製で、ほぼＬ字形に形成され、基端部が取付台部52にねじ54によって固着され、先端側が接触子24の挿入域に側方から侵入して接触子24の側面に圧接可能とするように配設されている。
蓋体44は、例えば柔軟なシリコーンゴム製で、ソケット本体41の開口51を閉塞するように液密に係合されるとともに基台３との間に挟着配置され、基台３の裏面側からソケット本体41に螺着されるねじ55によって一体的に共締め固着される。
蓋体44の一部には、ソケット本体41の空洞部50に連通する膨出部56が下方に突出形成されている。この膨出部56は、第４図において、器具中央側に臨む側面に電源線57が挿通される図示しない挿通孔が形成されていて、膨出部56を介して電源線57が外部からソケット本体41内に導入されるように構成されている。すなわち、第２図において、紙面の裏面方向から膨出部56に導入された電源線57は、紙面の前方においてＵターンして受刃43の基端部の上面に導かれ、電源線57の絶縁被覆の先端から露出した芯線57aがさらに受刃43の基端部に沿って下方へ折り返されてその基端部の裏面に接続されることによって、電源線57は受刃43に電気的に接続されると同時に張力止めが施される。なお、ソケット本体41には舌片58が下方へ一体に突設されていて、膨出部56と舌片58とで電源線57を圧迫して電源線57の導入部分を防水構造にしている。さらに、要すれば、膨出部56、舌片58および電源線57の間にシリコーン接着剤を施与して防水を確かなものにしてもよい。
また、基台３は、金属板を折曲して下面開放のほぼコ字形に形成されており、その長手方向の両端面はソケット本体41の端面部53によって閉塞されている。基台３の両端部近傍のソケット取付位置において、ねじ55が挿通される図示しない挿通孔、蓋体44の膨出部56が挿通される切欠部59が形成されている。
そうして、ソケット本体41の開口51に蓋体44を係合して基台３の両端のソケット取付位置に配置し、基台３の裏面側からねじ55をソケット本体41に螺着することにより、ソケット本体41および蓋体44が基台３に一体的に共締め固着される。
そして、照明装置を取り付けるには、まず、基台３を造営物の所望の位置に取り付け、配線をして、発光装置１の両端の口金14をソケット装置２に差し込み接続する。これにより、口金14の接触子24がソケット本体41の挿入孔46に挿入され、接触子24で受刃43をその弾力に抗して変形させながら、その接触子24が受刃43に電気的に接続される。これと同時に、口金14の一対の係合腕27がこの係合腕27の弾力に抗して変形しながらソケット本体41の傾斜面48を通じて係合凹部49に係合される。さらに、この係合位置において、口金14の口金側平坦部29がパッキング42に当接して弾性的に押しつぶし、口金14とソケット本体41との接触面が防水構造とされる。
一方、発光装置１をソケット装置２から取り外すときには、口金14の一対の係合腕27をその弾力に抗して外側に変形させながら、係合腕27の係合凸部32とソケット本体41の係合凹部49との係合を解除した状態で口金14をソケット本体41から引き離せばよい。そうすれば、接触子24は受刃43から離れ、電気接続は解除される。
以下に、この第１の実施の形態において、特徴とする構成および作用効果を説明する。
少なくとも導光部分が透光性の細長い管体12と、複数の発光体15を連結し両端から導電体21が廷在していて管体12内に挿通された連鎖発光体13と、一端が管体12の端部に外側から装着され他端が開口した胴部25、通過孔30を形成するとともに通過孔30を経由して取り出した連鎖発光体13の導電体21に対して位置出しを行なうように胴部25内の中間位置に配設された隔壁部26、隔壁部26と開口28との間に配設され連鎖発光体13の導電体21が接続されるとともに作用部が外部に露出した接触子24、および胴部25の他端の開口28を閉塞する閉塞子23を含む口金14とを具備していることを特徴としている。口金14内に隔壁部26を配設し、通過孔30を経由した導電体21を位置決めして接触子24に接続したので、管体12に口金14を装着してから、連鎖発光体13の導電体21を取り出して組立を行なうことができるので、組立の作業性が良好になる。
また、隔壁部26は、胴部25と一体に形成されていることを特徴としている。隔壁部26を胴部25と一体に成形することにより一体に形成してもよいし、隔壁部26を予め別に成形して後から胴部25に接着または溶着により一体化してもよい。そして、隔壁部26を胴部25と一体にしたことにより、隔壁部26が不用意に動いて連鎖発光体13が管体12に対して所定の位置から不所望に移動してしまうおそれがない。
また、隔壁部26は、通過孔30がほぼ半円形であることを特徴としている。隔壁部26の通過孔30がほぼ半円形であると、連鎖発光体13の端部から導出されている導電体21を予め接触子24に接続しやすいようにＬ字形などの形状に折曲加工しておいても、通過孔30を経由して当該折曲部分を取り出しやすい。また、導電体21の位置出しのためには、半円形の弦の部分に浅いスリットを形成して、そのスリットの底部に導電体21を落とし込むことにより、位置出しを行なうことができる。さらに、上記の構造であれば、隔壁部26の機械的強度を高めることができるので、隔壁部26を連鎖発光体13の張力止めに利用することもできる。
また、口金14は、管体12の両端に配設されていることを特徴としている。いわゆる両口金形の管形発光体11を提供できる。
また、接触子24は、管体12の軸方向と交叉する方向に口金14から突出していることを特徴としている。管形発光体11の口金14をソケット装置２に装着することによって、取付面とほぼ平行に配設することができる。両口金形の管形発光体11に好適な構造であるが、片口金形であってもよい。片口金形の場合、管形発光体11の先端近傍を別に用意したホルダにて支持させることができる。
また、口金14は、接触子24の両側において接触子24と同一方向に延在する一対の係合腕27を備えていることを特徴としている。管形発光体11の接触子24をソケット装置２に対して単に差し込むまたは圧接するだけで電気接続を得る構造であったとしても、口金14が一対の係合腕27を備え、この係合腕27をソケット装置２または基台３などに設けた係合凹部49に係合させることにより、管形発光体11が使用中に不所望に脱落したり電気接続が不良になるようなことがない。さらに、口金14の接触子24の周囲とソケット装置２との間にパッキング42を介在させて防水構造にしようとする場合には、係合腕27を上記のような固定側部分に係合させることにより、パッキング42により防水作用を行なうのに必要な押圧力を口金14とソケット装置２との間に作用させることができるので、好都合である。さらに、口金14から係合腕27を延在させることにより、管形発光体11をソケット装置２に装着していない状態において、係合腕27が接触子24を機械的に保護するガードの役割を兼ねる。さらにまた、口金14の上部に水がかかっても係合腕27に沿って流れ落ちるので、防水作用を増進させることができる。
また、連鎖発光体13は、発光体15から導出されている導通部材19を介して各発光体15が連結されていることを特徴としている。発光体15の導通部材19を発光体15の連鎖のための連結構造の少なくとも一部として利用するので、余分な連結のための部品が少なくて済む。また、発光体15を直列接続する場合に好適である。
また、連鎖発光体13は、各発光体15の間に管体12の軸と直交する方向に対する位置規制子20を備えていることを特徴としている。位置規制子20は、管体12の内径に近い外形を備えていることが好ましいが、隣接する位置規制子20と協働して管体12の内径に近い外形になっていてもよい。すなわち、互いに隣接する一対の位置規制子20を管体12の軸方向から見た場合に、一方の位置規制子20はほぼ半円形であり、他方の位置規制子20は180゜ずれた半円形といった関係にすることも可能である。上記のような構成であっても、比較的発光体が短寸で、かつ小間隔で連鎖されている場合には十分位置規制の作用を行なう。要するに、位置規制子20は結果的に連鎖発光体13の管体12内における位置を規制するものであればよい。そして、位置規制子20を設けることにより、発光体15が管体12の内面に不所望に接触するのを防止することができる。管体12が湾曲している場合は特に効果的である。
また、位置規制子20は、各発光体15の間を連結する導電体21にて形成されていることを特徴としている。発光体15を連結する導電体21にて位置規制子20を形成することにより、構造が簡単になるとともに、位置規制子20を利用して張力付与作用を発揮させることも可能になる。すなわち、連鎖発光体13の両端から導出された導電体21を引っ張った状態で接触子24に接続するなどして固定することにより、連鎖発光体13に張力を作用させると、管体12内で連鎖発光体13が不所望に動くことが少なくなり、このため耳障りなかすれ音が発生しにくくなる。
また、発光体15は、バルブ17、バルブ17内に配設されたフィラメント18およびバルブ17の両端に形成された封止部から導出された導通部材19を備えた白熱電球によって構成されていることを特徴としている。発光体15が白熱電球からなる場合の好ましい態様を示しており、白熱電球は両端に導通部材19を備えているから、特に直列接続に好適である。しかし、本発明は直列接続に限定されるものではなく、例えば発光体15の電気接続と機械的接続とを分離すれば、所要により並列接続にも対応させることができる。
また、前記発光装置１と、発光装置１の接触子24を受容して電気的に接続する受刃43および受刃43を収納する絶縁性のソケット本体41を含んでなるソケット装置２とを具備していることを特徴としている。発光装置１をソケット装置２に装着するだけで発光装置１を支持して照明装置を構成することができる。発光装置１はこれを細く形成することができるとともに、所望の長さにすることができるので、店舗用の照明装置や細長い溝状の部分に配設して線状の照明を容易に行なえる。
また、前記発光装置１と、発光装置１の接触子24を受容して電気的に接続する受刃43および受刃43を収納するとともに両側に発光装置１の係合腕27が係合する係合凹部49を形成した絶縁性のソケット本体41を含んでなるソケット装置２とを具備していることを特徴としている。ソケット装置２の両側に係合凹部49を形成することにより、発光装置１の係合腕27を係合して発光装置１がソケット装置２から不所望に脱落するのを防止するとともに、口金14の接触子24の周囲とこれと対向するソケット装置２のソケット本体41との間にパッキング42を介在させれば、防水構造にすることができる。
また、絶縁性のソケット本体41の底面が開放されていて、その底面を絶縁性にして柔軟性の蓋体44で覆うとともに蓋体44を介して電源線57が導入されていることを特徴としている。ソケット装置２への電源線57の導入をソケット装置２の底部から行なう場合の好ましい態様を示している。すなわち、ソケット装置２の底面を絶縁性にして柔軟性の蓋体44で覆うとともに蓋体44を介して電源線57を導入しているので、防水構造にしやすい。
また、細長い基台３と、基台３の両端に配設された一対のソケット装置２と、一対のソケット装置２間に装着された前記発光装置１とを具備していることを特徴としている。基台３は、金属または合成樹脂にて形成することができる。基台３の両端に一対のソケット装置２を配設したので、直管形蛍光灯器具のような感覚で使用できる照明装置である。造営物に基台３を取り付け、ソケット装置２に発光装置１の接触子24を挿入すれば、発光装置１の取り付けと電気接続を同時に行なうことができる。
そして、このような各特徴において、特に指定しない限り用語の定義および技術的意味は次による。
管体12は、少なくとも導光部分が透光性であれば、どのようなものでもよい。例えば全体が透明なガラス管で、導光部分すなわち内部の連鎖発光体13から発生する光を外部に導出する部分をスリット状に残して、それ以外の部分にはガラス管の内面または外面に金属蒸着などによって遮光性の反射鏡膜を形成することができる。このような場合は、スリット状の部分が透光性である。透光性とは、光を透過する性質を有していることであって、透明および光拡散性のいずれでもよいし、また着色されていてもよい。
管体12は、剛性であっても柔軟性であってもよい。剛性の場合、ガラス、ポリカーボネート樹脂、アクリル樹脂などの材料を用いることができる。柔軟性の場合、ナイロン、塩化ビニルなどの材料を用いることができるが、連鎖発光体13の発生熱によって管体12が軟化ないし溶融しないよう発光体15の発生熱の少ないものを選ぶ必要がある。また、後述のように連鎖発光体13に張力を作用させた状態で管体12に組み込むと、連鎖発光体13が管体12に接触して気障りなかすれ音が発生するのを低減することができるが、柔軟性のある管体12においては、連鎖発光体13に張力を作用させるのには困難がある。
管体12が細長いとは、管の開口径より管軸長が大きいことを意味し、したがって、この条件さえ満たせば、任意の長さに設定されたものを許容する。
管体12は両端が開口していることが好ましいことではあるが、必須要件ではなく、少なくとも一端が開口していればよい。
管体12は直管である必要はなく、任意に湾曲したものを許容する。例えば任意角度の円弧状、円環状、Ｕ字状、Ｌ字状などに湾曲した管体12であってもよい。
管体12の断面形状は円形だけでなく、楕円、角形など適当な形状であることを許容する。
連鎖発光体13は、複数の発光体15が機械的に連鎖状態となっている必要がある。しかし、電気的に直列接続されていなければならないということではなく、必要に応じて並列接続であってもよい。ただし、少なくとも連鎖発光体13の両端から導電体21が延在しているという条件を満たす必要がある。
発光体15の数は、白熱電球、放電ランプ、発光ダイオードなど種々のものを許容する。発光体15の導通部材19は、発光体15の両端位置から導出されているのが好ましいことではあるが、必須要件ではなく、要すれば片側から集中して導出されていてもよい。発光体15が白熱電球である場合において、そのバルブ17内に適当圧力のキセノンガスまたはクリプトンガスを封入することにより、消費電力密度、換言すれば発光量を増加させることができるとともに、ランプ寿命を大幅に延ばすことができる。また、導通部材19は線状をなす以外にピン状など任意の構造であることを許容する。
発光体15は、主として管体12および発光体15の物理的寸法条件ならびに電気的条件によって決まる。すなわち、物理的寸法条件は、所与の長さの管体12に対して発光体15の数は一定の長さ寸法を有する発光体15がいくつ収納可能かで決まる。また、電気的条件は、発光体15が直列接続であれば、電源電圧を発光体15の印加電圧で除した値で発光体15の数が決まる。ここで、発光体15の印加電圧は、公称定格電圧より高ければ発光体15には過電圧が印加されるので、発光量はいくらか多くすることができるかもしれないが、寿命が短くなる傾向があるから、好ましくない。反対に、公称定格電圧より低い電圧を印加すると、発光量はいくらか少なくなるが、寿命は格段に延びるので、発光体15の数を電気的条件から設定する場合には、公称定格電圧に発光体の数を乗じた値より電源電圧が小さくなるようにするのが得策である。並列接続の場合は電源電圧と単一の発光体15の公称定格電圧との関係を考慮する必要があるが、管体12に収納する発光体15の数の設定には殆ど関係しない。
発光体15を連鎖する手段は、発光体15から導出されている導通部材19を利用してもよいが、要すれば導通部材19とは異なる部材を用いることができる。発光体15を直列接続する場合には発光体15の導通部材19同志を直接接続するか、または導通部材19相互の間に他の導電線16を介して連結すると、構造が簡単になる。並列接続する場合には、一部の導通部材19を利用することはできても基本的には電気的に絶縁した形で連鎖させる必要がある。
また、口金14は、管体12の一端または両端に装着される。一端に装着される場合すなわち片口金の場合は、他端は適当な閉塞子23により閉塞される。ただし、連鎖発光体13は管体12の閉塞端側において導電体21を適当な手段により所定の位置に位置決めしたうえで固定する必要がある。また、閉塞端側の導電体21を例えば絶縁スリーブを被覆するなどの絶縁を施したうえで管体12内で折り返すか、管体12の外面に沿わせて一端側の口金14に導入させる必要がある。
これに対して、両端に装着される場合すなわち両口金の場合、連鎖発光体13の両端から導出されている各導電体21は、それぞれ口金14の隔壁部26によって位置出しをしてから接触子24に接続される。
口金14は、合成樹脂を成形してなり、その胴部25は、一端が管体12の端部に外側から装着され、他端が開口し、中間位置に隔壁部26が配設される構造であるから、内部構造が筒状であればよく、外側はどのような形状および構造であってもよい。胴部25と管体12との接続は、接着剤による接着、圧入または溶着など特に手段は限定されない。
隔壁部26は、口金14と一体に成形されているのが好ましいが、要すれば別体に形成されていてもよい。さらに、隔壁部26は胴部25の内部において管体12方向へは位置規制されるが、開口方向へは自由になっていてもよい。また、隔壁部26は、連鎖発光体13を管体12の端部近傍において管体12の例えばほぼ中心部に位置させるための位置出しを主な目的とする部材であるが、必要に応じて連鎖発光体13に対する張力止めの機能を付与してもよい。
隔壁部26は、胴部25との間に連鎖発光体13の導電体21を取り出すための例えばほぼ半円形の通過孔30を形成しており、この通過孔30を経由して導電体21を隔壁部26の反対側すなわち接触子24側に取り出して導電体21の位置決めを行なうとともに、接触子24に電気的に接続する。なお、片口金の場合は、折り返した他端側の導電体21も上記通過孔30を経由するか、または他に形成した通過孔30を経由して同様に取り出し、別に設けた接触子24に接続するものとする。
接触子24は、口金14に配設されて連鎖発光体13に電源から受電するために機能するもので、その基端側を口金14の胴部25内において隔壁部26と開口28との間に臨在させれば、導電体21との接続を容易にすることができるが、必須ではない。しかし、接触子24の作用部すなわち先端側の部分は口金14の外部に露出していて、ソケット装置２に挿入されて電源との接続を行なう。接触子24の構造および形状は任意所望に選定することができる。すなわち、接触ピン、差込刃、接点など既存の各種接続構造の中から任意所望に選定することができる。
接触子24の数は、両口金の場合は１個、片口金の場合は２個が一般的であるが、連鎖発光体13の一部の発光体15を選択的に点滅可能にする場合など所望により任意個数とすることができる。
接触子24の口金14に対する配設方向は特に限定されないが、一般的には管体12の軸に対して直交する方向に配設される。このようにすれば、取付面に対して発光装置１をほぼ平行に取り付けることが容易となる。
胴部25の他端に設けた開口28は、管体12内に挿通した連鎖発光体13の導電体21を隔壁部26の通過孔30を経由して取り出し、さらに接触子24に接続するといった組立作業を行なうのに役立つ。すなわち、開口28から、ペンチ、ピンセットまたは他の操作具を挿入すれば、導電体21を挟み出すことは容易であり、また導電体21を接触子24に挿入し、圧着装置を開口28から挿入して両者を圧接するか、またはスポット溶接機の電極を挿入して両者をスポット溶接することができる。
閉塞子23は、口金14内に配設される導電体21や接触子24の充電部を保護するために胴部25の他端の開口28を閉塞するもので、構造は問わないが、たとえば開口28に口金14およびまたは閉塞子23の材料の弾力性を利用した嵌着や圧入または接着などの手段を用いて閉塞子23が不所望に口金14の開口28から脱落するのを防止することができる。
次に、本発明の第２の実施の形態を第５図ないし第10図を参照して説明する。なお、第１の実施の形態と同一構造および同様の機能を有する構造については同一符号を用いて説明する。
各図において、照明装置は、発光装置１、一対のソケット装置２および図示しない基台から構成されている。
第７図において、発光装置１は、管形発光体11を有し、この管形発光体11は管体12および連鎖発光体13から構成され、管体12の両端に一対の口金14（第５図および第６図に示す）が装着されている。
管形発光体11の管体12は、透明ガラス製の断面円形の直管で、両端が開口形成されている。
連鎖発光体13は、複数例えば５個の発光体15が導電線16によって連結されている。発光体15は、白熱電球から構成され、透明ガラス製の細長いバルブ17を有し、このバルブ17内にフィラメント18が封装されるとともに、バルブ17の両端に形成されたピンチ形の封止部からほぼＵ字形の導通部材19が導出され、バルブ17内にはキセノンガスが封入されている。また、導電線16の中間部分にはリング状の位置規制子20が一体に巻回形成されており、この位置規制子20は張力付与体、管体12の内面に対する位置規制手段および防振手段としても機能する。発光体15の導通部材19と導電線16とは溶接されて連鎖発光体13が一体的に形成されている。
管体12の両端部開口には隔壁部（端部体）26が装着されている。連鎖発光体13の両端の導電線16の端部を屈曲して引掛子61が形成され、この引掛子61が隔壁部26に係合されている。
そして、連鎖発光体13は管体12内において管軸とほぼ同軸状に整列配置され、両端の引掛子61は隔壁部26に導電線16の張力による張力の作用下において係合している。このため、連鎖発光体13は導電線16が提供する張力によって適度に引っ張られ、常に整列状態に維持される。また、隔壁部26にも張力が作用しているから、隔壁部26は管体12の開口端に嵌合させるだけで脱落することがない状態で管体12に装着される。
組立するには、まず一方の隔壁部26に連鎖発光体13の一方の引掛子61を係合させてから、連鎖発光体13を他方の引掛子61から先に管体12の一端に挿入する。次に、管体12の他端に他方の隔壁部26を嵌合した状態で隔壁部26を介して治具を管体12内に挿入して他方の引掛子61を引き出し、隔壁部26に係合させればよい。
第８図ないし第10図において、隔壁部26は、通過孔30が管体12の約半分程度の面積に形成され、この通過孔30の弦の部分の中央に溝状の位置決め部31が形成されている。さらに、隔壁部26には、引掛子61を係合するために引掛子当接部62および引掛子係合孔63が形成されているとともに、隔壁部26を管体12の端部に装着するために筒部64および鍔部65が形成されている。筒部64は管体12に嵌合して横ずれしないように位置規制し、鍔部65は管体12の端面に当接して隔壁部26を管体12に対してその軸方向に位置規制する作用をする。
また、口金14は、口金本体22、接触子24から構成されている。
口金本体22は、絶縁性の合成樹脂例えばポリカーボネート樹脂製で、胴部25、一対の係合腕27を有している。胴部25は、一端のみが開口する筒状に形成されており、その一端が管体12の端部外側に装着されている。胴部25の側面の一部すなわち一対の係合腕27間には口金側平坦部29が形成されている。胴部25の内部の管軸方向の中間位置には、管体12の端部の隔壁部26が係合する段部66が形成されている。したがって、隔壁壁26は、胴部25内の中間部に配設され、口金本体22の一部を構成する。なお、管体12と口金本体22とは必要に応じて接着される。
接触子24は、導電性を有するピンにて構成され、胴部25の隔壁部26の位置より他端側において、胴部25の口金側平坦部29の中心部を貫通して口金本体22の管軸に対してほぼ直角方向に突設されている。この接触子24は、導電体21を介して引掛子61と電気的に接続されている。
一対の係合腕27は、胴部25から突出する接触子24の両側に対向する位置において、胴部25の両側からそれぞれ下方に垂下して一体に形成されている。各係合腕27の先端には、内向きに係合凸部32が形成されている。
一方、ソケット装置２は、ソケット本体41、パッキング42、受刃43、蓋体44などから構成されている。
ソケット本体41は、絶縁性の合成樹脂例えばポリプチレンテレフタレート樹脂製で、上面（先端面）にソケット側平坦部45が形成され、このソケット側平坦部45の中央に接触子24が挿入される挿入孔46が形成されているとともにこの挿入孔46の周囲にパッキング42が収納される環状の周溝47が形成されている。ソケット本体41の両側には傾斜面48およびこの傾斜面48の下側に連なって係合腕27の係合凸部32が係合される係合凹部49が形成されている。ソケット本体41の内部には挿入孔46が連通する空洞部50が形成され、ソケット本体41の底面に空洞部50に連通する開口51が形成され、この開口51が蓋体44で閉塞される。
パッキング42は、例えばＯリングが用いられ、周溝47に収納された無加圧状態において、一部がソケット側平坦部45の上面より上方に突出される。
受刃43は、導電性を有する金属製で、筒状に形成され、挿入孔46内に配置され、接触子24の挿脱を可能とする。受刃43にはソケット本体41の底面に沿って配設される端子部67が一体に形成され、この端子部67に電源線57が接続されている。
ソケット本体41と蓋体44との間には電源線57を配置する電源線挿通孔68が形成されている。
そうして、この第２の実施の形態も、前記第１の実施の形態と同様の作用効果を奏する。
以下に、この第２の実施の形態において、特徴とする構成および作用効果を説明する。
透光性および剛性を備えていて少なくとも一方の端部が開口している細長い管体12と、複数の発光体15を連結してなる連鎖発光体13と、連鎖発光体13に張力を付与する導電線16と、管体12の開口に着脱可能に装着される隔壁部26と、連鎖発光体13の両端に配設され、少なくとも一方は隔壁部26に引っ掛けられ、かつ他方は隔壁部26または管体12端部に引っ掛けられて導電線16による張力の作用下において連鎖発光体13を管軸に沿って管体12内に懸架する引掛子61とを具備していることを特徴としている。連鎖発光体13に導電線16が配設されて、かつその両端に引掛子61が配設され、引掛子61を隔壁部26に係合させることにより、連鎖発光体13が管体12内に懸架される構造であるから、連鎖発光体13はその組立が容易である。しかも、連鎖発光体13は張力の作用下で懸架されているから、整然と配列するとともに、振動に対しても強くなるという付随的効果を奏する。さらに、隔壁部26にもその張力が作用するので、格別接着しなくても隔壁部26を管体12に装着することができる。
また、耐熱性、透光性および剛性を備えている両端開口の細長い管体12と、複数の発光体15を連結してなる連鎖発光体13と、連鎖発光体13に張力を付与する導電線16と、管体12の開口端部に装着される隔壁部26と、連鎖発光体13の両端に配設され、かつ隔壁部26に引っ掛けられて導電線16による張力の作用下において連鎖発光体13を管軸に沿って管体12内に懸架する引掛子61とを具備していることを特徴としている。管体12が耐熱性を有していて、さらに両端開口している。したがって、発光体15には比較的消費電力の大きい白熱電球例えばキセノンガスを封入した高出力のものを用いることができる。隔壁部26は管体12の各開口に装着するため、一対用いる。
また、連鎖発光体13は、各発光体15が導通部材19によって連結されていることを特徴としている。各発光体15を電気的に直列接続する場合に好適である。導通部材19は連結手段を兼ねているので、構造の簡素化を図れる。
また、導電線16は、各発光体15の両端に配設されているとともに管体12に対する発光体15の位置規制をしていることを特徴としている。発光体15の数の如何にかかわらず各発光体15の両端に導電線16を配設しているので、張力が各発光体15に均一に作用しやすく、しかも導電線16は管体12の長さ方向と直交する面内において発光体15が管体12内面に接触ないし接近しすぎないよう位置規制をしているので、発光体15を管体12の軸に沿って整列させることが容易となる。そして、上記位置規制を行なうことにより、発光体15の防振性を向上させることができる。
また、隔壁部26は、通過孔30、引掛子当接部62および引掛子係合孔63を備えていることを特徴としている。隔壁部26に通過孔30を形成しているので、管体12が両端開口の場合、一方の隔壁部26に連鎖発光体13の一方の引掛子61を係合させてから、管体12内に連鎖発光体13を挿入して一方の隔壁部26を管体12の一方の開口端に装着し、次に他端から隔壁部26を開口に装着し、隔壁部26の外側において治具を通過孔30から管体12内に挿入して他方の引掛子61を導電線16の張力に抗して掴み出して引掛子係合孔63に係合させれば組立が完了する。このとき、引掛子61は隔壁部26の引掛子当接部62に当接する。引掛子61が引掛子係合孔63に係合することにより、連鎖発光体13は管体12に対して所定の向きに規制される。また、管体12の一端のみが開口し、他端は実質的に閉鎖している場合においても、連鎖発光体13の一方の引掛子61をまず閉鎖端の係合部に係合させてから他端の隔壁部26の通過孔30から治具を挿入して引掛子61を掴み出して隔壁部26の引掛子係合孔63に係合させることができ、基本的に両端開口の場合と近似の手順で組立を行なえる。
また、発光体15は、バルブ17、バルブ17内に配設されたフィラメント18およびバルブ17の両端に形成された封止部から導出された導通部材19を備えた白熱電球から構成されることを特徴としている。発光体15が白熱電球からなる場合の好ましい態様を示しており、白熱電球は両端に導通部材19を備えているから、特に直列接続に好適である。しかし、本発明は直列接続に限定されるものではなく、例えば発光体15の電気接続と機械的連結とを別の構成にすれば、所要により並列接続にも対応させることができる。
また、前記管形発光体11と、管体12の少なくとも隔壁部26を有する方の端部を包囲するとともに発光体15に電気的に接続された接触子24を備えている口金14とを具備していることを特徴としている。両口金形および片口金形のいずれのランプをも提供することができる。すなわち、両口金形の場合は管体12の両端に隔壁部26を包囲して口金14を配設し、片口金形の場合は一方の端部に同様にして口金14を配設する。この場合、他方の端部には必要に応じてキャップを配設することができる。そして、キャップを配設する他端にも隔壁部26が配設されているときは、キャップで隔壁部26を包囲するようにすれば、外観を整えることができる。口金14は、接触子24を備えるが、そのソケット装置２への接続方向は管体12の軸方向および軸方向と直交する方向またはそれらの中間角度もしくは方向可変にすることもできる。
また、前記発光装置１と、発光装置１の口金14と協働して発光装置１を機械的に支持するとともに発光装置１に給電するソケット装置２とを具備していることを特徴としている。口金14およびソケット本体41のいずれか一方または双方に脱落防止手段を配設することができる。そして、この手段は、所望により脱落防止作用を解除してランプ交換および保守などに適応させることができる。
また、基台３と、基台３に配設されたソケット装置２と、ソケット装置２に着脱可能に装着された前記発光装置１とを具備していることを特徴としている。通常の一般照明用の照明器具と同様に使用できる照明装置を提供する。
次に、本発明の第３の実施の形態を第11図を参照して説明する。なお、第１の実施の形態と同一構造および同様の機能を有する構造については同一符号を用いて説明する。
この実施の形態では、発光装置１は前記各実施の形態と同様であり、ソケット装置２は、電源線57を基台３の上面から導入するようになっている。基台３は金属板を断面Ｌ字状に折曲して形成されている。基台３上には、発光装置１の脱落防止用のホルダ71が配設されている。電源線57の先端には電源線57を接続するためのコネクタ72が接続されている。
そして、この実施の形態においても、前記各実施の形態と同様の作用効果を奏する。
なお、基台３は必要に応じて箱状のケースや投光カバーを備えた構造とする。
次に、本発明の第４の実施の形態を第12図ないし第18図を参照して説明する。なお、前記各実施の形態と同一構造および同様の機能を有する構造については同一符号を用いて説明する。
第17図および第18図において、１は発光装置で、この発光装置１は、管形発光体11を有し、この管形発光体11の両端に口金14が取り付けられており、その管軸方向の長さはほぼ20Wの直管形蛍光灯に相当するように構成されている。
管形発光体11は、例えば透明なガラス製やプラスチック製の円筒状の管体12を有し、この管体12内に複数の発光体15が管軸方向に接続されて収納されている。
発光体15は、白熱ランプであり、透明な円筒状のバルブ17の内部空間の中央にフィラメント18が管軸方向に沿って配置されているとともに、このフィラメント18の両端に接続された導通部材19がバルブ17の両端から突出されている。バルブ17の両端は偏平状の封止部17aによって封止され、この各封止部17aに各導通部材19の中間部が固定され、封止部17aから突出する導通部材19は封止部17aの偏平方向と平行にほぼＵ字状に屈曲形成されている。
隣接する発光体15間は導電線16によって電気的および機械的に接続されている。導電線16は、第13図に示すように、導電性を有する線材にて形成され、両端が隣接する各発光体15の導通部材19に連結され、中間部には管体12の内壁に当接または近接する当接部としての位置規制子20が形成されている。導電線16は、接続された両発光体15を互いに近接させる方向に弾性を有している。導電線16と発光体15の導通部材19との係合部は溶接やはんだ付けによって固定してもよい。これら複数の発光体15および導電線16によって連鎖発光体13が構成される。
第12図および第14図に示すように、管体12の両端部には隔壁部26が取り付けられる。この隔壁部26は、絶縁性を有する例えば合成樹脂製で、管体12とほぼ同径の円板状に形成され、その内面側には管体12の内側に嵌合する筒部64が形成されているとともに、中央部にフック81が形成されている。フック81に臨む中央から下縁にかけてスリット状の通過孔30が形成されている。
そして、最も端部に位置する発光体15の導通部材19に導電性を有する線状部材82の一端が引掛係止されるとともに他端がフック81に引掛係止され、複数の発光体15間を接続する導電線16の弾性によって隔壁部26が管体12の端部に嵌合当接された状態に保持される。
また、口金14は、絶縁性を有する例えば合成樹脂製のソケット本体41を有し、このソケット本体41には一端側が開口された円筒状の胴部25が形成され、この胴部25内には管体12の端部が隔壁部26を介して位置決め当接される段部66が形成され、胴部25内の下側には溝部83が管軸方向に形成されている。この溝部83の底面には管軸方向と直交する上下方向に貫通する固定孔84が形成され、胴部25の下面の固定孔84の周囲には環状突部85が突出形成されている。環状突部85の下面には口金側平坦部29が形成されている。
胴部25の管軸方向と直交する両側には下方に突出する一対の係合腕27が形成され、この係合腕27の先端の相対する内側には係合凸部32が突出形成されている。
口金14の下面には接触子24が突出配置されている。この接触子24は、導電性を有する例えば金属製で、中間部に環状のリブ24aが形成され、そのリブ24aの上端側が口金14の固定孔84に圧入固定される。
そして、管体12の隔壁部26のフック81に引っ掛けられた線状部材82と口金14に固定された接触子24とをリード線などの導電体21で接続した後、管体12の端部を口金14に挿入固定することにより、発光装置１が組み立てられる。
次に、第12図、第14図ないし第16図において、ソケット装置２のソケット本体41は、絶縁性を有する例えば透明または半透明や乳白色の合成樹脂製で、上面には口金14が接続されるソケット側平坦部45が形成され、このソケット側平坦部45には接触子24が挿入される挿入孔46が上下方向に貫通形成されているとともに、この挿入孔46の周囲に環状の周溝47が形成されている。なお、挿入孔46は発光装置１の管軸方向に対応して長孔状に形成されている。
ソケット本体41の両側（発光装置１の管軸方向と直交する両側）には、上縁角部に傾斜面48が形成されているとともに、この傾斜面48より下側位置に口金14の係合腕27の係合凸部32が着脱可能に係着する係合凹部49が形成されている。
ソケット本体41の外端面側には保持板86が上方に突出形成され、この保持板86の上縁には口金14の胴部25の外端部下縁が嵌合する円弧状の嵌合面部87が形成されている。さらに、ソケット本体41の外端面側には上下方向にずれた位置から挟持突部88,89が突出形成され、ソケット本体41の内端面側には取付孔90を有する取付片91が突出形成されている。
ソケット本体41の内部には、挿入孔46に連通する空洞部50が中央域に形成され、この空洞部50の両側に一対の端子収納部92が形成され、これら空洞部50および一対の端子収納部92はソケット本体41の下方に開口形成されている。
また、各端子収納部92には、端子93がそれぞれ配置される。各端子93は、端子収納部92の上面にねじ94で締め付け固定される基板95を有し、この基板95の両側縁部の両端から接続片96,97が下方に折曲形成され、ソケット本体41の内壁側の接続片96,97の下端から斜め上方に向けて鎖錠片98が折曲形成されている。一方の端子93のみには、空洞部50に進入して挿入孔46に挿入される接触子24と接触可能とする受刃43が形成されている。
また、各端子収納部92には、リリースボタン99がそれぞれ配置される。各リリースボタン99は、各端子93の接続片96,97と一対の鎖錠片98との間に上下方向にスライド可能に配置され、両端には各端子93の一対の鎖錠片98の下側に配置される解除部100が形成されている。
また、ソケット本体41の下面には、蓋体44が閉塞状態に取り付けられる。この蓋体44は、絶縁性を有する例えば合成樹脂製で、上面四隅に突部101が形成され、各突部101を上下方向に貫通して電線挿入孔102が形成されている。両側縁部にはリリースボタン99の下端が嵌合するリリース孔103が形成され、両端側縁部にはソケット本体41の内壁に係止される係止爪104が形成されている。
周溝47にはパッキング42が収納されている。このパッキング42は、例えばＯリングが用いられ、周溝47に収納された無加圧状態において、一部がソケット側平坦部45の上面より上方に突出される。
次に、第12図および第18図において、トラフなどの基台３は、断面ほぼコ字形で、発光装置１の長さとほぼ同一長さに形成され、基台３の両端にはソケット本体41の下部を差し込み嵌合する差込孔105が形成され、基台３の差込孔105より中心側に取付孔106および止め孔107が形成されている。
そして、ソケット本体41の下部を基台３の差込孔105に差し込んで、上下の挟持突部88,89を差込孔105の縁部に係合するとともに、取付片91を基台３の上面に接合し、止めねじ108を取付片91の取付孔90に挿入して基台３の取付孔106に螺着することにより、基台３の両端にソケット装置２がそれぞれ取り付けられる。
さらに、第12図に示すように、電源線57の一端の被覆を取り除いた一対の芯線57aがソケット装置２の各電線挿入孔102に差し込まれる。各芯線57aは各端子93の内端側の接続片96,97と鎖錠片98との間にそれぞれ差し込まれ、各芯線57aに各鎖錠片98が食い付くことにより、各芯線57aが電気接続状態で抜け止めされる。電源線57は基台３の内側に沿って取り付けられる。
そうして、発光装置１の両端の口金14を基台３の両端のソケット装置２に接続する。すなわち、第12図において、口金14をソケット装置２の上方から接近させ、一対の係合腕27をソケット装置２の両側に合わせ、口金14をソケット装置２に上方から押し込む。これにより、一対の係合腕27が外側に弾性変形しながら口金14がソケット装置２に押し込まれていき、一対の係合腕27の先端の係合凸部32がソケット装置２の係合凹部49に係着することにより、口金14がソケット装置２に係止される。
発光装置１の口金14をソケット装置２に接続した状態では、口金14の接触子24がソケット装置２の挿入孔46に挿入され、その接触子24に受刃43が接触する。口金14の環状突部85がソケット装置２のパッキング42に当接するとともに、口金14の胴部25の外端部下縁が保持板86の嵌合面部87に嵌合する。
なお、発光装置１を接続する際、ソケット装置２の挿入孔46が管軸方向に長孔状に形成されているため、発光装置１の両端の接触子24の間隔と基台３の両端のソケット装置２の間隔とに寸法ずれが生じていても、接触子24の挿入孔46への挿入を許容できる。しかも、発光装置１の一端の口金14を先にソケット装置２に接続した後に他端の口金14をソケット装置２に接続するようにした場合、発光装置１が基台３に対して斜めになって、接触子24が挿入孔46に対して斜めに挿入されたとしても、接触子24の挿入孔46への挿入を許容できる。
そして、電源線57には商用交流電源が接続される。電源線57を通じて給電することにより、両端のソケット装置２の端子93を通じて一対の接触子24間に交流電源が流れ、一対の接触子24間に直列接続された複数の発光体15が点灯する。
そして、この実施の形態においても、前記各実施の形態と同様の作用効果を奏する。
なお、前記各実施の形態において、発光装置１は、複数の発光体15間にそれぞれ配置される導電線16のうち位置規制子20を有する導電線16は発光体15の複数個おきに配置してもよい。
また、発光装置１の管軸方向の長さは、20Wの直管形蛍光灯に相当する長さに限られず、10W、15W、40W、100W（110W形）の各直管形蛍光灯に相当するように構成してもよく、その場合、長さに応じて発光体15の数を加減するようにする。
また、各実施の形態の発光装置１は、直管形蛍光灯と同様に利用可能とし、例えば、棚下灯、間接照明灯、ショーケースやショーウィンドの照明灯、看板灯などとして利用できる。
以上のように、本発明の発光装置、ソケット装置および照明装置は、例えば、直管形蛍光灯と同様に照明用として利用可能とする他、複数の発光装置を管軸方向に沿って配置して発光部分の連続性が得られる線状照明などにも利用可能とするとともに、電飾などとしても利用可能とする。
（発明の効果）
請求項１記載の発光装置によれば、口金の一対の係合腕により、ソケット装置に装着していない状態で接触子を保護するガードの役割を兼ね、輸送時やソケット装置への接続にあたって接触子を確実に保護できる。また、接触子をソケット装置に対して単に差し込むまたは圧接するだけで電気接続を得る構造であったとしても、一対の係合腕がソケット装置または照明装置などの被取付側に係合することにより、発光装置を電気接続状態に確実に保持できる。
請求項２記載の発光装置によれば、請求項１記載の発光装置の効果に加えて、管形発光体の端部外側に口金本体の胴部の一端を装着するとともに、管形発光体の導電体を口金本体の胴部内の隔壁部を一端側から他端側に通過させることにより、口金本体の胴部の他端側において導電体を接触子に容易に接続でき、組立性を向上できる。
請求項３記載の発光装置によれば、請求項１記載の発光装置の効果に加えて、管形発光体の端部外側に口金本体の胴部の一端を装着するとともに、管形発光体の導電体を口金本体の胴部内の隔壁部を一端側から他端側に通過させることにより、口金本体の胴部の他端側において導電体を接触子に容易に接続でき、組立性を向上できる。さらに、胴部に隔壁部を一体成形によって容易に形成でき、導電体の接続作業後に胴部の他端面を閉塞子で閉塞できるとともに外観を向上できる。
請求項４記載の発光装置によれば、請求項１記載の発光装置の効果に加えて、管形発光体の端部外側に口金本体の胴部の一端を装着するとともに、管形発光体の導電体を口金本体の胴部内の隔壁部を一端側から他端側に通過させることにより、口金本体の胴部の他端側において導電体を接触子に容易に接続でき、組立性を向上できる。さらに、隔壁部に設けられた位置決め部により、隔壁部を一端側から他端側に通過される導電体を位置決めでき、接続作業を容易にできる。
請求項５記載の発光装置によれば、請求項１記載の発光装置の効果に加えて、管形発光体の端部外側に口金本体の胴部の一端を装着するとともに、管形発光体の導電体を口金本体の胴部内の隔壁部を一端側から他端側に通過させることにより、口金本体の胴部の他端側において導電体を接触子に容易に接続でき、組立性を向上できる。さらに、隔壁部に設けられた通過孔により、導電体を隔壁部の一端側から他端側に容易に通過させることができ、かつ、隔壁部に設けられた位置決め部により、通過孔を通じて隔壁部の一端側から他端側に通過される導電体を位置決めでき、接続作業を容易にできる。
請求項６記載の発光装置によれば、請求項１記載の発光装置の効果に加えて、ソケット装置への装着時に口金側平坦部をソケット装置側に接合させて位置決めでき、さらに、例えば口金側平坦部とソケット装置との間にパッキングを介在させて防水構造とすることが容易にできる。
請求項７記載の発光装置によれば、請求項１記載の発光装置の効果に加えて、例えば小形の白熱ランプなどを用いて、管形発光体を構成できる。
請求項８記載のソケット装置によれば、発光装置の口金をソケット装置に差し込み接続することにより、接触子をソケット本体の先端面の挿入孔を通じて受刃に電気的に接続できる。この口金をソケット装置に差し込み接続する際、口金の一対の係合腕をソケット本体の両側に合わせて差し込み操作することにより、一対の係合腕をソケット本体の傾斜面を通じて係合凹部に導いて容易に係合できる。したがって、前記発光装置をソケット装置に容易に接続できるとともに電気接続状態に確実に保持できる。
請求項９記載のソケット装置によれば、請求項８記載のソケット装置の効果に加えて、口金とソケット本体との間にパッキングを介在させて防水構造にできる。
請求項10記載の照明装置によれば、発光装置の口金の一対の係合腕により、ソケット装置に装着していない状態で接触子を保護するガードの役割を兼ね、輸送時やソケット装置への接続にあたって接触子を確実に保護でき、かつ、一対の係合腕がソケット装置の係合凹部に係合することにより、発光装置を電気接続状態に確実に保持できる。また、発光装置の口金をソケット装置に差し込み接続することにより、接触子をソケット本体の先端面の挿入孔を通じて受刃に電気的に接続できる。この口金をソケット装置に差し込み接続する際、口金の一対の係合腕をソケット本体の両側に合わせて差し込み操作することにより、一対の係合腕をソケット本体の傾斜面を通じて係合凹部に導いて容易に係合できる。したがって、前記発光装置をソケット装置に容易に接続できるとともに電気接続状態に確実に保持できる。
【図面の簡単な説明】
第１図は本発明の第１の実施の形態を示す照明装置の一部の断面図であり、第２図は第１図のＡ−Ａ断面図であり、第３図は発光装置の平面図であり、第４図は照明装置の底面図であり、第５図は本発明の第２の実施の形態を示す照明装置の一部の断面図であり、第６図は第５図のＢ−Ｂ概略断面図であり、第７図は発光装置の正面図であり、第８図は発光装置の一部の拡大断面図であり、第９図は隔壁部の拡大正面図であり、第10図は隔壁部の拡大背面図であり、第11図は本発明の第３の実施の形態を示す照明装置の斜視図であり、第12図は本発明の第４の実施の形態を示す照明装置の一部の分解状態の斜視図であり、第13図は発光装置の一部の斜視図であり、第14図は照明装置の一部の断面図であり、第15図は照明装置の一部の断面図であり、第16図はソケット装置の底面図であり、第17図は発光装置の斜視図であり、第18図は照明装置の斜視図である。
１・・発光装置、２・・ソケット装置、３・・基台、11・・管形発光体、12・・管体、13・・連鎖発光体、14・・口金、15・・発光体、21・・導電体、22・・口金本体、23・・閉塞子、24・・接触子、25・・胴部、26・・隔壁部、27・・係合腕、29・・口金側平坦部、30・・通過孔、31・・位置決め部、41・・ソケット本体、42・・パッキング、43・・受刃、44・・蓋体、45・・ソケット側平坦部、46・・挿入孔、47・・周溝、48・・傾斜面、49・・係合凹部、50・・空洞部。
【図１】
0003575769.tif 000002
【図３】
0003575769.tif 000003
【図４】
0003575769.tif 000004
【図２】
0003575769.tif 000005
【図７】
0003575769.tif 000006
【図９】
0003575769.tif 000007
【図５】
0003575769.tif 000008
【図８】
0003575769.tif 000009
【図６】
0003575769.tif 000010
【図１１】
0003575769.tif 000011
【図１５】
0003575769.tif 000012
【図１０】
0003575769.tif 000013
【図１２】
0003575769.tif 000014
【図１６】
0003575769.tif 000015
【図１３】
0003575769.tif 000016
【図１４】
0003575769.tif 000017
【図１７】
0003575769.tif 000018
【図１８】
0003575769.tif 000019